(57)【要約】【課題】蓋の外観品位を高め、お手入れ性、信頼性を向上させた洗濯機を提供すること。【解決手段】前側外周部材１８、後側外周部材１９は、弾性を有する材料で形成されるとともに、前側天面部材１０、後側天面部材１２の表面部１０ｂ、１２ｂより突出せず、前側天面部材１０、後側天面部材１２の外周部との間に隙間が無いように配設し、かつ、前側外周部材１８、後側外周部材１９の下面に、前側外周部材凹部１８ｆ、後側外周部材凹部１９ｆを形成して、この前側外周部材凹部１８ｆ、後側外周部材凹部１９ｆに、前側裏面部材１１、後側裏面部材１３の側壁１１ｃ、１３ｃを、隙間をもって位置させる構成とすることにより、蓋体３各部位の熱膨張収縮差によって生じる隙間や変形をカバーする蓋体構造にして、蓋体３内部に水や洗剤等が浸入して起こる問題を防止し、外観品位を安価に高め、フラットな構成でお手入れ性、信頼性を向上させることができる。【選択図】図３
2019072153.tif 000002
【特許請求の範囲】
【請求項１】
洗濯機本体上部に配設した上面カバーと、前記上面カバーの略中央部に形成された衣類投入口を開閉自在に覆う折り畳み可能な蓋体とを備え、前記蓋体は、天面を形成する天面部材と外周部を形成する外周部材と裏面部形成する裏面部材と、夫々の前記天面部材と外周部材、及び、裏面部材を固着する固着部材とからなり、天面部材は透明材料で形成され裏面に印刷等による華飾る部を端部まで施すと共に、外周部材は天面部材の端面を天面部材の表面より突出しないようにして隙間なく覆い、裏面部材とは隙間を保持し、且つ、弾性を有する材料で形成したことを特徴とする洗濯機。
【請求項２】
蓋体は、取手部を有する前蓋体と、洗濯機本体に開閉自在に固定され前記前蓋体と軸支された後蓋体から構成されている請求項１に記載の洗濯機。
【請求項３】
蓋体は、後蓋体の天面を形成する後側天面部材の略中央に透明中央部を有し、前記後蓋体の裏面部を形成する後側裏面部材の略中央で前記後側天面部材の前記透明中央部と対向する位置に衣類投入口が位置するよう形成したことを特徴とする請求項１または２に記載の洗濯機。
【発明の詳細な説明】
【技術分野】
【０００１】
本発明は、洗濯機本体の上面に折れ蓋構成の蓋体を備えた洗濯機に関するものである。
【背景技術】
【０００２】
縦型洗濯機は、洗濯機本体の上面に、開閉自在な蓋体を備えており、蓋体としては、中央部分で折り畳み可能な折れ蓋構成のものが知られている(例えば、特許文献１)。
【０００３】
図７は、特許文献１に記載された従来の洗濯機の外観斜視図、図８は、同洗濯機の蓋体の外観斜視図、図９は、同洗濯機の蓋体の断面図である。
【０００４】
図７、図８、図９において、洗濯機本体３１の上面を被覆する上面カバー３２の略中央部には、開閉自在に蓋体３３を配置している。蓋体３３は、前蓋体３４と後蓋体３５を略中央部にて、後述する軸支構造５３で折り畳み可能に構成し、前蓋体３４の中央部と後蓋体３５の中央部は、透明構造とし、中央部分から洗濯機本体３１内部を視認可能にしている。
【０００５】
前蓋体３４は、把手部３７を有し、透明材質で略半円形状の前蓋４０と、前蓋４０の裏面から装着される不透明部材で略馬蹄形状の前蓋当て板４１とから構成されている。後蓋体３５は、透明材質で略台形形状の後蓋４２と、前記後蓋４２の裏面から装着され、かつ中央部に開口４３を有し、外形形状が後蓋４２の形状に近似する後蓋当て板４４で構成されている。
【０００６】
前蓋４０には、貫通する孔で構成する軸受部４６を有する軸受リブ４７を後ろ壁５０後方に複数個一体形成している。後蓋４２の裏面下側から装着した後蓋当て板４４には、前蓋４０の軸受部４６に対応する位置に、支持軸４５を有する支持軸リブ４９が一体形成されている。
【０００７】
支持軸４５を前記軸受部４６に装着して、前蓋４０と後蓋４２が回動自在となり、軸支構造５３が構成されている。
【０００８】
前蓋４０の軸受部４６および軸受リブ４７は、前蓋４０の後ろ壁５０後方に突出した位置に延設しているので、後蓋当て板４４の支持軸４５および支持軸リブ４９の配置は、開口４３側に延設した遮蔽リブ５２の略下方に配置構成されている。
【０００９】
したがって、蓋体３３を閉じた状態において、使用者がよく見る状態である斜め前方上方から透明材を通して槽内を視認した際に、軸受部４６および支持軸４５、支持軸リブ４９等がみえにくくなり、蓋体３３を閉じた状態でのデザイン性の向上に配慮している。
【先行技術文献】
【特許文献】
【００１０】
【特許文献１】特開２０１１−２００２７４号公報
【発明の概要】
【発明が解決しようとする課題】
【００１１】
しかしながら、前記従来の構成では、表側の前蓋と裏側の前蓋当て板、あるいは、後蓋と後蓋当て板とが、熱膨張収縮差や吸湿による膨張収縮差によってずれることにより隙間や変形が発生し、それにより、フラット感のあるデザイン性が損なわれるとともに、その
隙間から水や洗剤等が浸入して外観品位、お手入れ性が損なわれるという課題があった。
【００１２】
本発明は、前記従来の課題を解決するもので、透明性材料で構成された蓋を、安価に外観品位を高めると共に、フラットな構成でお手入れ性、操作性を向上させることを目的としている。
【課題を解決するための手段】
【００１３】
前記従来の課題を解決するために、本発明の洗濯機は、天面を形成する天面部材と外周部を形成する外周部材と裏面部形成する裏面部材と、前記夫々の天面部材と外周部材、及び、裏面部材を固着する固着部材とからなり、天面部材は透明材料で形成され裏面に印刷等による華燭部を端部まで施すと共に、外周部材は天面部材の端面を天面部材の表面より突出しないようにして隙間なく覆い、裏面部材とは隙間を保持し、且つ、弾性を有する材料で形成したものである。
【００１４】
これにより、蓋体各部位の熱膨張収縮差によって生じる隙間や変形をカバーする蓋体構造とすることにより、蓋体内部に水や洗剤等が浸入して起こる問題を防止して、外観品位を安価に高め、フラットな構成でお手入れ性、信頼性を向上させることができる。
【発明の効果】
【００１５】
本発明の洗濯機は、前記従来の課題を解決するもので、透明性材料で構成された蓋を、安価に外観品位を高めると共に、フラットな構成でお手入れ性、操作性を向上させることができる。
【図面の簡単な説明】
【００１６】
【図１】本発明の実施の形態における洗濯機の外観斜視図
【図２】同洗濯機の蓋体が開いた時の外観斜視図
【図３】同洗濯機の蓋体の分解斜視図
【図４】同洗濯機の前蓋体の軸支部６以外の断面図
【図５】同洗濯機の後蓋体の軸支部６及び後方の凹部状部以外の断面図
【図６】同洗濯機の後蓋体の後方の凹状部の断面図
【図７】従来の洗濯機の外観斜視図
【図８】同洗濯機の蓋体の外観斜視図
【図９】同洗濯機の蓋体の断面図
【発明を実施するための形態】
【００１７】
第１の発明は、天面を形成する天面部材と外周部を形成する外周部材と裏面部形成する裏面部材と、前記夫々の天面部材と外周部材、及び、裏面部材を固着する固着部材とからなり、天面部材は透明材料で形成され裏面に印刷等による華燭部を端部まで施すと共に、外周部材は天面部材の端面を天面部材の表面より突出しないようにして隙間なく覆い、裏面部材とは隙間を保持し、且つ、弾性を有する材料で形成したものである。
【００１８】
これにより、蓋体各部位の熱膨張収縮差によって生じる隙間や変形をカバーする蓋体構造にして、蓋体内部に水や洗剤等が浸入して起こる問題を防止し、安価に外観品位を高め、フラットな構成でお手入れ性、信頼性を向上させることができる。
【００１９】
以下、発明の実施の形態について、図面を参照しながら説明する。なお、この実施の形態によって本発明が限定されるものではない。
【００２０】
（実施の形態１）
図１は、本発明の実施の形態における洗濯機の外観斜視図、図２は、同洗濯機の蓋体が
開いた時の外観斜視図を示すものである。
【００２１】
図１、図２において、洗濯機本体１の上面には、上面カバー２が配置され、上面カバー２の略中央部には、衣類投入口１５が形成されている。上面カバー２には、蓋体３が揺動自在に支持されており、蓋体３により衣類投入口１５を開閉自在に覆割れるよう構成されている。上面カバー２は、後部が高く、前部が低い形状となっており、蓋体３の上面は、前面側に傾斜した状態となっている。
【００２２】
蓋体３は、前蓋体４と後蓋体５を、略中央部に配設される軸支部６により折り畳み可能な２枚折れ蓋に構成している。前蓋体４の天面を構成する前側天面部材１０と後蓋体５の天面を構成する後側天面部材１２は、透明部材により形成し、後蓋体５の後側天面部材１２の透明中央部１２ａから洗濯槽９内部を視認可能にしている。
【００２３】
蓋体３は、後蓋体５の後部左右に、上面カバー２により軸支する支持部１３ｂを形成しており、前蓋体４の後方略中央部に形成された第一凹部１１ａに手を入れて取手部７を把持し、蓋体３を上方に持ち上げつつ後方に押し込む操作をすることで、蓋体３を開いた状態とすることができる。なお、支持部１３ｂの上面側は蓋カバー２２により覆っている。
【００２４】
前側天面部材１０と後側天面部材１２は、表面がフラット状な形状になるよう構成されており、表面部１０ｂ、表面部１２ｂより突出する部材がない形状に構成されている。なお、蓋体３の詳細な構成は図３以降で詳述する。
【００２５】
図３は、本発明の実施の形態における洗濯機の蓋体の分解斜視図、図４は、同洗濯機の前蓋体の軸支部６以外の断面図、図５は、同洗濯機の後蓋体の軸支部６及び後方の凹状部以外の断面図、図６は、同洗濯機の後蓋体の後方の凹状部の断面図である。
【００２６】
図３、図４、図５、図６において、前蓋体４は、取手部７を形成する外形形状が略馬蹄状で透明部材の前側天面部材１０と、前側天面部材１０の外周部および裏面外周側を覆うように配設される弾性を有する材料で形成された前側外周部材１８と、前側天面部材１０の裏面側から装着される不透明部材で略長方形状で取手部７を形成する第一凹部１１ａを有する前側裏面部材１１と、取手部７の下部を形成し前側裏面部材１１に複数の爪形状部で裏面側から固定された取手カバー（図示せず）とにより構成されている。
【００２７】
後蓋体５は、透明部材で略長方形状の後側天面部材１２と、後側天面部材１２の外周部および裏面外周側を覆うように配設される弾性を有する材料で形成された後側外周部材１９と、後側天面部材１２の裏面から装着され、かつ、後側天面部材１２の透明中央部１２ａと対向する位置に開口１３ａを有し、外形形状が後側天面部材１２の形状に近似した後側裏面部材１３と、支持部１３ｂを覆い、支持部１３ｂの表面を形成する蓋カバー２２とにより構成されている。
【００２８】
前側天面部材１０と前側裏面部材１１は、両面テープ等の第一固着部材１６でのみ接着固定されている。後側天面部材１２と後側裏面部材１３は、両面テープ等の第二固着部材１７のみで接着固定されている。前側天面部材１０と前側外周部材１８は、両面テープ等の第三固着部材２０でのみ接着固定されている。後側天面部材１２と後側外周部材１９は、両面テープ等の第四固着部材２１のみで接着固定されている。前側外周部材１８と後側外周部材１９は、前側天面部材１０と後側天面部材１２の表面部１０ｂ、１２ｂより突出しない状態で構成している。
【００２９】
前側天面部材１０と後側天面部材１２は、耐洗剤性のアクリル樹脂押出し成形品で外形をＮＣ加工により作成され、裏面に各々部材の端部まで耐洗剤性に優れたインクによるシ
ルク印刷が施された華飾部１０ｃ、１２ｃを有している。
【００３０】
第一固着部材１６と第二固着部材１７は、弾性を有する部材で基材を形成し、厚肉形状としている。
【００３１】
第三固着部材２０と第四固着部材２１は、弾性を有する部材で基材を形成し、一般的な両面テープの厚さとしている。
【００３２】
前側裏面部材１１と後側裏面部材１３の外周には、側壁１１ｃ、１３ｃを形成し、前側外周部材１８と後側外周部材１９の下面には、前側外周部材凹部１８ｆ、後側外周部材凹部１９ｆを形成している。前側外周部材１８と後側外周部材１９の側壁１１ｃ、１３ｃの上部を、前側外周部材凹部１８ｆ、後側外周部材凹部１９ｆ内に位置させ、前側外周部材凹部１８ｆ、後側外周部材凹部１９ｆの左右あるいは前後に隙間Ａ、Ｂを有して嵌合するリブ１８ａ、１８ｂ、および、１９ａ、１９ｂを形成し、前側天面部材１０と後側天面部材１２の外周部の端面１０ｄ、１２ｄを隙間なく覆っている。
【００３３】
後側裏面部材１３は、後方を凹部状に形成し、上部を蓋カバー２２で覆われており、蓋カバー２２の天面２２ａは、後側天面部材１２の表面部１２ｂより突出しない状態で構成している。
【００３４】
後側外周部材１９の後方の凹部状部外側面１９ｃは、蓋カバー２２の外側面２２ｂと隙間なく密接するよう構成され、後側外周部材１９の下面には、隙間Ｃを形成する凹部１９ｄが設けられ、後側外周部材１９の内側壁面１９ｅは、後側裏面部材１３と隙間Ｄを形成し、軸支部６も略同構成としている。
【００３５】
これら前側裏面部材１１、後側裏面部材１３、および、前述の取手カバー（図示せず）、蓋カバー２２等の部材は、複雑な形状に対応可能で、デザインの多様性に適応可能な生産性の高いポリプロピレン樹脂製等のプラスチック射出成型加工品で形成されている。前側外周部材１８と後側外周部材１９は、弾性を有し複雑な形状に対応可能でデザインの多様性に適応可能な生産性の高い熱可塑性エラストマーで形成されている。
【００３６】
以上のように構成された洗濯機において、以下、その動作、作用などを説明する。
【００３７】
取手部７を持ち上げつつ後方に押し込む操作にて、軸支部６で屈曲させつつ、蓋体３は開き状態となり、内部の洗濯槽９に衣類等の洗濯物の投入や、洗剤の投入が可能になる。
【００３８】
蓋閉じた状態、すなわち前蓋体４と後蓋体５とが折れ蓋状態ではなく、前蓋体４と後蓋体５とで１つの面を形成する状態では、後蓋体５の透明構造の透明中央部１２ａから内部の洗濯槽９の状況、たとえば衣類の動き等を視認することが可能となる。
【００３９】
なお、蓋体３を軸支部６で折り畳み可能にしている理由は、蓋体３を開いた際に、衣類の投入や取り出し作業をしやすくするために蓋体３を大型化する場合に、一枚構造では、開き時の高さが高くなりすぎて操作性が低下するのを避けるためと、洗濯機設置場所の上方のスペースで他の部材との干渉を避けるためである。
【００４０】
また、デザイン性を配慮して透明材質とした蓋体３の前側天面部材１０と前側裏面部材１１は、両面テープ等の第一固着部材１６のみで接着固定している。後側天面部材１２と後側裏面部材１３も、両面テープ等の第二固着部材１７のみで接着固定している。前側天面部材１０と前側外周部材１８は、両面テープ等の第三固着部材２０のみで接着固定している。後側天面部材１２と後側外周部材１９は、両面テープ等の第四固着部材２１のみで
接着固定している。後側裏面部材１３の後方を凹状に形成し上部を覆う蓋カバー２２の天面２２ａは、後側天面部材１２の表面部１２ｂより突出しない状態で構成している。これにより、前側天面部材１０と後側天面部材１２の表面部１０ｂ、１２ｂより突出する部材がない状態となり、フラット感のあるデザイン性を向上させた構成にすることができる。
【００４１】
前側裏面部材１１と後側裏面部材１３の外周には、側壁１１ｃ、１３ｃを形成し、前側外周部材１８と後側外周部材１９の下面には、側壁１１ｃ、１３ｃを、隙間Ａ、Ｂを設けて嵌合するリブ１８ａ、１８ｂと、１９ａ、１９ｂを形成し、前側天面部材１０と後側天面部材１２の端面１０ｄ、１２ｄを隙間なく覆っている為、四季を通して、前側裏面部材１１と前側天面部材１０、および、後側裏面部材１３と後側天面部材１２の熱膨張収縮差や吸湿による膨張収縮差は、隙間Ａ、および、隙間Ｂが吸収し、前蓋体４、後蓋体５のソリ、変形、段差等の発生を防止できる。前側天面部材１０の表面部１０ｂと前側外周部材１８との隙間、および、後側天面部材１２の表面部１２ｂと後側外周部材１９との隙間は、弾性を有する熱可塑性エラストマーの加工品である前側外周部材１８と後側外周部材１９により、隙間のない状態が保持され、外観品位、お手入れ性を維持させることができる。
【００４２】
同様に、後側裏面部材１３の後方を凹部状に形成した部位においても、後側外周部材１９の外側面１９ｃは蓋カバー２２の外側面２２ｂと隙間なく構成され、後側外周部材１９の下面には隙間Ｃを形成する凹部１９ｄが設けられ、後側外周部材１９の内側壁面１９ｅは、後側裏面部材１３との間で隙間Ｄを形成している為、四季を通しての後側裏面部材１３と後側天面部材１２の熱膨張収縮差や吸湿による膨張収縮差は、隙間Ｃ、および、隙間Ｄが吸収し、後蓋体５のソリ、変形、段差等の発生を防止できると共に、後側天面部材１２の表面部１２ｂの後側外周部材１９との隙間は、弾性を有する熱可塑性エラストマーの加工品である後側外周部材１９により、隙間のない状態が保持され、外観品位、お手入れ性を維持させることができる。
【００４３】
第一固着部材１６と第二固着部材１７は、弾性を有する部材で基材を形成し、厚肉形状としている為、四季を通しての前側裏面部材１１と前側天面部材１０、および、後側裏面部材１３と後側天面部材１２の逆方向にも発生する熱膨張収縮差や吸湿による膨張収縮差は、第一固着部材１６、第二固着部材１７の弾性や厚肉が吸収し、前側天面部材１０、および、後側天面部材１２の浮き、剥離等の発生を防止できると共に、第三固着部材２０と第四固着部材２１は、弾性を有する部材で基材を形成されている為、前側天面部材１０、および、後側天面部材１２の熱膨張収縮や吸湿による膨張収縮は、第三固着部材２０、と第四固着部材２１の弾性が吸収し、前側天面部材１０と後側天面部材１２の浮き、剥離等の発生を防止でき、信頼性の高いものとできる。
【００４４】
外観品位を向上させる手段として、前側天面部材１０と後側天面部材１２の裏面に、各々部材の端部まで耐洗剤性に優れたインクによるシルク印刷を施して華飾部１０ｃ、１２ｃを形成しているため、マスキング塗装や印刷したフィルムのインサート成形等の高価なものとすることなく、印刷範囲も限定されることなくデザインすることができ、奥行き感のあるデザイン性のある構成とすることができる。
【００４５】
また、蓋体３の軸支部６は、蓋体３の略中央部に配置されており、即ち、前蓋体４の後方位置であり、前蓋体４を構成する不透明部材の前側裏面部材１１と後蓋体５の後側天面部材１２の裏面に端部まで施された華飾部１２ｃにより、蓋体３を閉じた状態において、使用者がよく見る状態である斜め前方上方から透明の後蓋体５の後側天面部材１２の透明中央部１２ａを通して槽内を視認した際に、軸支部６が見え難くなり、蓋体３を閉じた状態での外観品位、デザイン性を向上できる。
【００４６】
蓋体３の軸支部６は、取手部７の幅や配置に関係なく、前側裏面部材１１の幅寸法を最大限活用して配置幅を大きく設定しても、軸支部６そのものは見え難くなり、蓋体３を閉じた状態での外観品位、デザイン性を向上させることができると共に、前側裏面部材１１の幅寸法を最大限活用して配置幅を大きく設定できるので、安定した折り畳み動作を得ることができる。
【００４７】
また、本実施の形態のように、前側天面部材１０と後側天面部材１２を樹脂製で形成することにより、使用者が誤って重量物を蓋体３の上に落として、万一、蓋体３が破損しても、洗濯機本体１内部に落下することがなく、安全性にも優れたものとできる。
【００４８】
以上のように、本実施の形態においては、前側外周部材１８、および、後側外周部材１９は、弾性を有する材料で形成されるとともに、前側天面部材１０、および、後側天面部材１２の表面部１０ｂ、１２ｂより突出せず、前側天面部材１０、および、後側天面部材１２の外周部との間に隙間が無いように配設し、かつ、前側外周部材１８、および、後側外周部材１９の下面に、前側外周部材凹部１８ｆ、および、後側外周部材凹部１９ｆを形成して、この前側外周部材凹部１８ｆ、および、後側外周部材凹部１９ｆに、前側裏面部材１１、および、後側裏面部材１３の側壁１１ｃ、１３ｃを、隙間をもって位置させる構成とすることにより、蓋体３各部位の熱膨張収縮差によって生じる隙間や変形をカバーする蓋体構造にして、蓋体３内部に水や洗剤等が浸入して起こる問題を防止し、外観品位を安価に高め、フラットな構成でお手入れ性、信頼性を向上させることができる。
【産業上の利用可能性】
【００４９】
以上のように、本発明にかかる洗濯機は、蓋体各部位の熱膨張収縮差によって生じる隙間や変形をカバーする蓋体構造にして、蓋体内部に水や洗剤等が浸入して起こる問題を防止し、外観品位を安価に高め、フラットな構成でお手入れ性、信頼性を向上させることができるので、洗濯乾燥機など蓋体を有する他の家庭用電気機器の用途に適用できる。
【符号の説明】
【００５０】
１  洗濯機本体
２  上面カバー
３  蓋体
４  前蓋体
５  後蓋体
７  取手部
１０  前側天面部材
１０ｂ  前側天面部材の表面部
１１  前側裏面部材
１１ｃ  側壁
１２  後側天面部材
１２ｂ  後側天面部材の表面部
１３  後側裏面部材
１３ｃ  側壁
１５  衣類投入口
１６  固着部材（第一固着部材）
１７  固着部材（第二固着部材）
１８  前側外周部材
１８ｆ  前側外周部材凹部
１９  後側外周部材
１９ｆ  後側外周部材凹部
２０  固着部材（第三固着部材）
２１  固着部材（第四固着部材）
【図１】
2019072153.tif 000003
【図２】
2019072153.tif 000004
【図３】
2019072153.tif 000005
【図４】
2019072153.tif 000006
【図５】
2019072153.tif 000007
【図６】
2019072153.tif 000008
【図７】
2019072153.tif 000009
【図８】
2019072153.tif 000010
【図９】
2019072153.tif 000011